(57)【要約】【課題】フォーマル性を重視したエレベータの乗降口装置を提供すること。【解決手段】エレベータホールを画成する壁面２にアルミカットパネル２１を貼設するとともに、壁面２に形成した乗降口の三方を覆う三方枠５をガラスで構成し、三方枠５の内部に蛍光灯６１を内蔵した照明ボックス６を収容したので、三方枠５はエレベータホールの天井照明と調和し、三方枠５が浮き立つことがない。この結果、エレベータホールのフォーマル性を実現できる。【選択図】        図４
2006248623.tif 000002
【特許請求の範囲】
【請求項１】
エレベータホールを画成する壁面に形成した乗降口の三方を覆う三方枠を光透過性の材料で構成するとともに、前記三方枠の内部に照明具を収容したことを特徴とするエレベータの乗降口装置。
【請求項２】
前記壁面にアルミカットパネルを貼設したことを特徴とする請求項１に記載のエレベータの乗降口装置。
【請求項３】
前記壁面に象嵌する態様で、前記三方枠の側枠に沿ってホールランタンを配設したことを特徴とする請求項１または２に記載のエレベータの乗降口装置。
【発明の詳細な説明】
【技術分野】
【０００１】
本発明は、エレベータの乗降口装置に関するものである。
【背景技術】
【０００２】
従来から、エレベータ扉の扉表面を照らすように、エレベータ扉の裏面、エレベータ扉の戸袋内または戸当たり内、あるいは三方枠の上枠内のいずれかに設けた照明具と、この照明具に接続され、エレベータ制御盤から供給された乗りかごの扉開動作指令に対応した点灯制御信号を生成し、その点灯制御信号をこの照明具に供給する制御手段を具備したエレベータの乗降口装置が知られている（たとえば、特許文献１参照）。
【０００３】
【特許文献１】特開平１０−７７１６８号公報
【発明の開示】
【発明が解決しようとする課題】
【０００４】
しかしながら、オフィスビルのエントランス階のエレベータホール等に設置するエレベータの乗降口装置は、フォーマル性を重視したものが望まれている。
【０００５】
本発明は、上記に鑑みてなされたものであって、フォーマル性を重視したエレベータの乗降口装置を提供することを目的とする。
【課題を解決するための手段】
【０００６】
上述した課題を解決し、目的を達成するために、本発明は、エレベータホールを画成する壁面に形成した乗降口の三方を覆う三方枠を光透過性の材料で構成するとともに、前記三方枠の内部に照明具を収容したことを特徴とする。
【０００７】
また、本発明は、前記壁面にアルミカットパネルを貼設したことを特徴とする。
【０００８】
また、本発明は、前記壁面に象嵌する態様で、前記三方枠の側枠に沿ってホールランタンを配設したことを特徴とする。
【発明の効果】
【０００９】
本発明に係るエレベータの乗降口装置は、エレベータホールを画成する壁面に形成した乗降口の三方を覆う三方枠を光透過性の材料で構成するとともに、前記三方枠の内部に照明具を収容したので、エレベータホールの全体照明（天井照明）と調和して、三方枠が浮き立つことがない。この結果、フォーマル性を重視したエレベータの乗降口装置を提供できる。
【００１０】
また、壁面にアルミカットパネルを貼設したので、フォーマル性を重視したエレベータホールを構築できる。
【００１１】
また、壁面に象嵌する態様で、三方枠の側枠に沿ってホールランタンを配設したので、消灯時にホールランタンが浮き立つことがなく、点灯時にホールランタンを浮かび上がらせ、エレベータホールとコントラストを成すことができる。
【発明を実施するための最良の形態】
【００１２】
以下に、本発明に係るエレベータの乗降口装置の実施例を図面に基づいて詳細に説明する。なお、この実施例によりこの発明が限定されるものではない。
【実施例】
【００１３】
図１は本発明の実施例に係るエレベータの乗降口装置を示す正面図、図２は図１のＡ−Ａ断面図、図３は図１のＢ−Ｂ断面図、図４は図２に示した右枠の詳細を示す拡大断面図である。
【００１４】
本実施例に係るエレベータの乗降口装置は、たとえば、オフィスビルのエントランス階のエントランスホール（図示せず）に隣接するエレベータホール１に設置するものである。エントランスホールには木パネルが貼設してあり、エレベータホール１を画成する壁面２および天井の全面にはアルミカットパネル２１が貼設してある。このため、エレベータホール１は、エントランスホールと効果的な対比を成し、程よい緊張感を与えることができる。そして、エレベータホール１は、フォーマル性を実現することができる。
【００１５】
また、図１〜３に示すように、壁面２には、矩形の乗降口３が形成してあり、この乗降口３は、一対のエレベータ扉４により、左右両側に開閉可能である。また、乗降口３の床面と同一面となる下辺３１を除いた左辺３２、右辺３３および上辺３４の三辺は、三方枠５により覆われている。
【００１６】
三方枠５をなす左枠５２、右枠５３、上枠５４は、光透過性の材料であるガラスにより構成してあり、その内表面には、乳白色のフィルム５５が貼付してある。三方枠５をなす左枠５２、右枠５３、上枠５４の各枠の内部には、図２および図３に示すように、それぞれ照明ボックス６が収容してある。
【００１７】
照明ボックス６は、図４に示すように、断面が三角形となるように形成してあり、その斜辺が三方枠５の各枠５２，５３，５４と対向するように配設してある。照明ボックス６には、照明具としての蛍光灯６１およびその取付具６２等が内蔵してある。
【００１８】
図４に示すように、各枠５２，５３，５４と蛍光灯６１との間には、乳白色のアクリル板７が介在してある。したがって、蛍光灯６１から照射された光は、乳白色のアクリル板７と、上述した乳白色のフィルム５５とにより拡散され、光の強さを調整し、三方枠５の外表面で均一な光となる。
【００１９】
三方枠５のエッジ部分には、点検扉１０が設けてある。点検扉１０を開放すると、内部に照明ボックス６の側面に設けた点検口パネル１１が露出する。これを取り外すことにより、蛍光灯６１の点検および交換が可能である。蛍光灯６１のメンテナンスを三方枠５のガラス板を取り外すことなく行えるようにしたことで、金物の単純化、安全性の強化を図っている。
【００２０】
図１および図４に示すように、三方枠５の左枠５２および右枠５３の上部と隣接するようにホールランタン８が配設してある。ホールランタン８は、乗りかごがエレベータホール１に着床したことを利用者に報知するためのもので、通常時に消灯し、着床時に点灯または点滅する。ホールランタン８は、図４に示すように、拡散アクリル８１と、ランタンボックス８２とを有している。拡散アクリル８１は、壁面２に貼設したアルミカットパネル２１の間に象嵌する態様で配設してある。ランタンボックス８２には、照明具としてのランプ８３とその取付具８４等が内蔵してある。そして、ランプ８３から照射された光は、拡散アクリル８１により、拡散され、赤色に点灯する。
【００２１】
また、ホールランタン８は、引出可能であって、ホールランタン８を引き出すことにより、ランタンボックス８２の裏側からランプ８３の点検および交換が可能である。
【００２２】
また、図１に示すように、壁面２には、呼出ボタン９が配設してある。呼出ボタン９は、乗りかごを呼び出すためのもので、呼出ボタン９を押下等すると、図示しないエレベータ制御装置に呼出信号を送出する。
【００２３】
上述した実施例に係るエレベータの乗降口装置によれば、蛍光灯６１（照明具）を点灯すると、光が乳白のアクリル板７およびフィルム５５を介して拡散された後、三方枠５を透過してエレベータの乗降口に照射される。したがって、利用客には、あたかも三方枠５そのものが発光しているように、見えることになる。このため、エレベータホールの天井照明と調和し、三方枠５が浮き立つことがない。この結果、エレベータホールのフォーマル性を実現できる。
【００２４】
また、断面が三角形となるように照明ボックス６を構成したので、図４に示すように、エレベータ扉４とエレベータシャフトの区画壁とにより制約を受けた空間であっても照明ボックス６を配設できる。
【００２５】
また、三方枠５のエッジ部分に設けた点検扉１０を開放すれば、照明ボックス６の点検口パネル１１が露出し、蛍光灯６１の点検および交換が可能である。また、ホールランタン８を引き出せば、ランプ８３およびその取付具８４等の点検および交換が可能である。したがって、乗場側から蛍光灯６１およびその取付具６２等、あるいはランプ８３およびその取付具８４等を点検および交換することができる。
【００２６】
また、壁面２に貼設したアルミカットパネル２１の目地の中にホールランタン８の拡散アクリル８１を象嵌したので、通常時（消灯時）にはホールランタン８が目立つことがなく、点滅時にはアルミカットパネル２１に対してコントラスト効果を発揮する。
【００２７】
エントランスホールをはじめとする周囲の空間が木パネルによる構成であるのに対し、アルミカットパネル２１によるエレベータホールは効果的な対比を生み出し、程よい緊張感を与える。エレベータホールの三方枠５とホールランタン８は、この効果を生む上で重要な役割を果たしている。
【産業上の利用可能性】
【００２８】
以上のように、本発明に係るエレベータの乗降口装置は、エレベータホールとコントラストを成し、フォーマル性を重視したエレベータの乗降口装置に有用であり、特に、エントランスホールに設置するエレベータの乗降口装置に適している。
【図面の簡単な説明】
【００２９】
【図１】本発明の実施例に係るエレベータの乗降口装置を示す正面図である。
【図２】図１のＡ−Ａ断面図である。
【図３】図１のＢ−Ｂ断面図である。
【図４】図２に示した右枠の詳細を示す拡大断面図である。
【符号の説明】
【００３０】
１  エレベータホール
２  壁面
３  乗降口
４  エレベータ扉
５  三方枠
６  照明ボックス
７  アクリル板
８  ホールランタン
９  呼出ボタン
１０  点検扉
１１  点検口パネル
２１  アルミカットパネル
３１  下辺
３２  左辺
３３  右辺
３４  上辺
５２  左枠
５３  右枠
５４  上枠
５５  フィルム
６１  蛍光灯
６２  取付具
８１  拡散アクリル
８２  ランタンボックス
８３  ランプ
８４  取付具
【図１】
2006248623.tif 000003
【図２】
2006248623.tif 000004
【図３】
2006248623.tif 000005
【図４】
2006248623.tif 000006